(57)【要約】      （修正有）【課題】目的地までの到達の程度に応じた楽曲又は音声情報を提供する。【解決手段】移動端末は、目的地の入力を受け付け、目的地情報と移動端末の現在位置情報とをサーバに送信する。サーバは、予め登録された地点と前記地点に関連する楽曲及び／又は音声が少なくとも１以上含まれるプレイリストを記憶し、移動端末から受信した目的地情報に合致する地点がある場合には、地点に対応するプレイリストを取得し、移動端末の現在位置に基づき、取得したプレイリストに含まれる条件情報を満たす場合に、条件情報が対応付けられた楽曲又は音声を含む再生用プレイリストを作成し、再生用プレイリストを移動端末に送信する。移動端末は、再生用プレイリストに沿って楽曲又は音声を順次再生する。【選択図】図２１
2020101631.tif 000002
【特許請求の範囲】
【請求項１】
移動端末は、目的地の入力を受け付け、目的地情報と前記移動端末の現在位置情報とをサーバに送信し、
前記サーバは、予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を有し、
前記サーバは、前記記憶部を参照して、前記移動端末から受信した目的地情報に合致する地点がある場合には、前記地点に対応する前記プレイリストを取得し、
前記サーバは、前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信し、
前記移動端末は、前記再生用プレイリストに沿って楽曲又は音声を順次再生する、音情報提供システム。
【請求項２】
前記サーバは、前記目的地に到着するまでの所要時間の条件情報に基づき、前記再生用プレイリスト内に含める楽曲又は音声を特定する、
請求項１に記載の音情報提供システム。
【請求項３】
前記サーバは、前記目的地までの距離の条件情報に基づき、前記再生用プレイリスト内に含める楽曲又は音声を特定する、
請求項１又は２に記載の音情報提供システム。
【請求項４】
前記サーバは、前記目的地に到着するまでの指定時間及び／又は指定地点の条件情報に基づき、前記再生用プレイリスト内に含める楽曲又は音声を特定する、
請求項１〜３のいずれか一項に記載の音情報提供システム。
【請求項５】
前記サーバは、再生についての優先度の条件情報に基づき、前記優先度の高い順に前記再生用プレイリスト内に含める楽曲又は音声を特定する、
請求項１〜４のいずれか一項に記載の音情報提供システム。
【請求項６】
前記サーバは、前記移動端末の現在位置情報から目的地までの距離及び／又は目的地に到着するまでの所要時間を検出し、前記再生用プレイリストから再生済みの楽曲又は音声を除いた後、検出した前記目的地までの距離及び／又は目的地に到着するまでの所要時間と前記条件情報とに基づき、前記再生用プレイリスト内に含める楽曲又は音声を特定する、
請求項１〜５のいずれか一項に記載の音情報提供システム。
【請求項７】
移動端末と、サーバ装置とを有する音情報提供システムによる音情報提供方法であって、
前記移動端末は、目的地の入力を受け付け、目的地情報と前記移動端末の現在位置情報とをサーバに送信し、
前記サーバは、予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を有し、
前記サーバは、前記記憶部を参照して、前記移動端末から受信した目的地情報に合致する地点がある場合には、前記地点に対応する前記プレイリストを取得し、
前記サーバは、前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信し、
前記移動端末は、前記再生用プレイリストに沿って楽曲又は音声を順次再生する、音情報提供方法。
【請求項８】
移動端末から、目的地情報と前記移動端末の現在位置情報とを受信し、
予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を参照して、前記移動端末から受信した目的地情報に合致する地点がある場合には、前記地点に対応する前記プレイリストを取得し、
前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信する、処理をコンピュータに実行させる音情報提供プログラム。
【発明の詳細な説明】
【技術分野】
【０００１】
本発明は、音情報提供システム、音情報提供方法、音情報提供プログラムに関する。
【背景技術】
【０００２】
従来、音楽や動画を再生する順番をリスト化したプレイリストに関する様々な技術が知られている。その技術の１つとして、例えばナビゲーション情報から特定されたキーワードが音楽関連情報に含まれているかどうかでプレイリストを作成する技術が知られている。また、プレイリストに関する他の技術として、端末保有者が所有する端末に記憶した楽曲から、事前に端末保有者が予め定めた再生条件に基づき楽曲を決定し、再生する技術が知られている。
【先行技術文献】
【特許文献】
【０００３】
【特許文献１】特開２００７−０９５２３９号公報
【特許文献２】特開２００６−１０３５２０号公報
【発明の概要】
【発明が解決しようとする課題】
【０００４】
従来の技術では、ナビゲーション情報や、端末保有者が所有する端末に記憶した楽曲に応じて、音楽データの作成や再生を行うものである。したがって、従来の技術では、例えば、目的地に関係する者が目的地に応じた音楽データを提供することは考慮されていない。
【０００５】
１つの側面では、本発明は、目的地までの到達の程度に応じた楽曲又は音声情報を提供することを目的としている。
【課題を解決するための手段】
【０００６】
一つの態様では、移動端末は、目的地の入力を受け付け、目的地情報と前記移動端末の現在位置情報とをサーバに送信し、前記サーバは、予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を有し、前記サーバは、前記記憶部を参照して、前記移動端末から受信した目的地情報に合致する地点がある場合には、前記地点に対応する前記プレイリストを取得し、前記サーバは、前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信し、前記移動端末は、前記再生用プレイリストに沿って楽曲又は音声を順次再生する、音情報提供システムが提供される。
【０００７】
上記各処理は、上記各処理を実現する機能部、各処理を実現する手順としても良く、各処理をコンピュータに実行させるプログラムを記憶したコンピュータ読み取り可能な記録媒体とすることもできる。
【発明の効果】
【０００８】
目的地までの到達の程度に応じた楽曲又は音声情報を提供することできる。
【図面の簡単な説明】
【０００９】
【図１】音情報提供システムのシステム構成の一例を示す図である。
【図２】サーバ装置のハードウェア構成の一例を示す図である。
【図３】移動端末のハードウェア構成の一例を示す図である。
【図４】目的地データベースの一例を示す図である。
【図５】指定地点データベースの一例を示す図である。
【図６】楽曲データベースの一例を示す図である。
【図７】プレイリストデータベースの一例を示す図である。
【図８】再生用プレイリストの一例を示す図である。
【図９】音情報提供システムの各装置の機能構成を説明する図である。
【図１０】取得処理部による処理を説明するフローチャートである。
【図１１】移動端末の表示例を示す第一の図である。
【図１２】音情報提供システムの動作を示すシーケンス図である。
【図１３】再生用プレイリスト作成部の処理を説明するフローチャートである。
【図１４】再生用プレイリスト作成部の処理を説明するフローチャートである。
【図１５】移動端末の表示例を示す第二の図である。
【図１６】移動端末による再生用プレイリストの再生処理を説明する第一のフローチャートである。
【図１７】移動端末による再生用プレイリストの再生処理を説明する第二のフローチャートである。
【図１８】移動端末による再生用プレイリストの再生処理を説明する第三のフローチャートである。
【図１９】移動端末による再生用プレイリストの再生処理を説明する第四のフローチャートである。
【図２０】移動端末の表示例を示す第三の図である。
【図２１】再生用プレイリストによる再生を説明するための図である。
【発明を実施するための形態】
【００１０】
以下に図面を参照して、実施形態について説明する。図１は、音情報提供システムのシステム構成の一例を示す図である。
【００１１】
本実施形態の音情報提供システム１００は、サーバ装置２００と、移動端末３００とを有し、それぞれがネットワークを介して接続される。また、本実施形態の音情報提供システム１００において、サーバ装置２００は、ネットワークを介して、ＣＤＤＢ（Compact  Disc  DataBase）４００と通信を行ってもよい。ＣＤＤＢ４００は、音楽ＣＤ（Compact  Disc）の演奏者や制作年度などの情報が格納されたデータベースである。
【００１２】
本実施形態のサーバ装置２００は、移動端末３００において目的地の選択が行われると、目的地に合致した地点のプレイリストを抽出し、格納する。
【００１３】
尚、以下の説明では、楽曲情報と音声情報は、音情報に含まれる。つまり、音情報は、楽曲情報か音声情報の何れか１つ又は両方を含む。音情報には、楽曲、ナレーションの情報の他、効果音が含まれてもよい。
【００１４】
本実施形態のサーバ装置２００は、移動端末３００から目的地情報と移動端末３００の現在位置とを取得すると、目的地情報に合致した地点に対応するプレイリストを抽出し、そのプレイリストの中から移動端末３００に再生させるプレイリスト（以下、「再生用プレイリスト」ともいう。）を作成し、移動端末３００に通知する。
【００１５】
移動端末３００は、通知された再生用プレイリストが示す再生順に応じて楽曲の再生を行う。例えば、移動端末３００は、再生用プレイリストにて指定された位置や指定された時間になると、再生用プレイリスト内の特定の楽曲又は音声の再生を行う。
【００１６】
尚、図１の例では、音情報提供システム１００に含まれる移動端末３００は１台としているが、これに限定されない。音情報提供システム１００に含まれる移動端末３００は、任意の台数であって良い。また、音情報提供システム１００では、移動端末３００によってサーバ装置２００に格納されたプレイリストが、他の移動端末３００において再生されても良い。
【００１７】
本実施形態の音情報提供システム１００は、目的地データベース２１１、指定地点データベース２１２、楽曲データベース２１３、プレイリストデータベース２１４、再生用プレイリスト２１５、音情報提供部２１０を有する。
【００１８】
目的地データベース２１１は、目的地に関する情報が格納されている。指定地点データベース２１２は、特定の地点を示す情報が格納されている。楽曲データベース２１３は、楽曲情報や音声情報等の音情報に関する情報が格納されている。楽曲データベース２１３は、楽曲、ナレーション、効果音、画像情報（静止画情報、動画情報）、振動情報を格納してもよい。楽曲情報とは、楽曲ＩＤで特定される楽曲の音楽ファイルである。音声情報とは、例えば、ナレーション等の音声ファイルである。尚、楽曲データベース２１３に格納される情報は、サーバ装置２００が、ＣＤＤＢ４００と通信を行って取得した情報を含む。
【００１９】
プレイリストデータベース２１４は、プレイリストを格納する。各データベースの詳細は後述する。再生用プレイリスト２１５は、プレイリストデータベース２１４に格納されたプレイリストからサーバ装置２００が作成した、移動端末３００における再生用のプレイリストである。
【００２０】
本実施形態の音情報提供部２１０は、移動端末３００から、目的地情報とともにプレイリストの取得要求を受けつけると、目的地情報に合致する地点がある場合には、その地点に対応するプレイリストを取得する。そして、音情報提供部２１０は、取得したプレイリストに含まれる条件情報を満たす場合に、条件情報が対応付けられた楽曲又は音声を出力する再生用プレイリストを作成し、移動端末３００に送信する。
【００２１】
移動端末３００は、プレイリスト管理部３１０を有する。プレイリスト管理部３１０は、サーバ装置２００から再生用プレイリストを取得し、再生用プレイリストの楽曲又は音声を順次再生する。
【００２２】
このように、本実施形態では、目的地と再生用プレイリストとが対応付けられているため、移動端末３００のユーザに、目的地及び目的地までの到達の程度に合わせた楽曲又は音声情報を提供することができる。
【００２３】
尚、図１では、各データベースがサーバ装置２００に設けられるものとしたが、これに限定されない。各データベースは、サーバ装置２００の外部（クラウド上など）に設けられていても良い。また、サーバ装置２００は、複数の情報処理装置によって実現されても良い。
【００２４】
以下に、本実施形態の音情報提供システム１００の有する各装置について説明する。図２は、サーバ装置のハードウェア構成の一例を示す図である。図２のサーバ装置２００は、それぞれバスＢで相互に接続されているドライブ装置２１、補助記憶装置２２、メモリ装置２３、ＣＰＵ（Central  Processing  Unit）２４、及びインタフェース装置２５等を有する。
【００２５】
サーバ装置２００での処理を実現するプログラムの１つであって、音情報提供部２１０を実現する音情報提供プログラムは、ＣＤ−ＲＯＭ等の記録媒体２６によって提供される。音情報提供プログラムを記憶した記録媒体２６がドライブ装置２１にセットされると、音情報提供プログラムが記録媒体２６からドライブ装置２１を介して補助記憶装置２２にインストールされる。
【００２６】
尚、音情報提供プログラムのインストールは必ずしも記録媒体２６より行う必要はなく、ネットワークを介して他のコンピュータよりダウンロードするようにしてもよい。補助記憶装置２２は、インストールされた音情報提供プログラムを格納すると共に、必要なファイルやデータ等を格納する。
【００２７】
メモリ装置２３は、音情報提供プログラムの起動指示があった場合に、補助記憶装置２２から音情報提供プログラムを読み出して格納する。ＣＰＵ２４は、メモリ装置２３に格納された音情報提供プログラムに従ってサーバ装置２００に係る機能を実行する。インタフェース装置２５は、ネットワークに接続するためのインタフェースとして用いられる。
【００２８】
図３は、移動端末のハードウェア構成の一例を示す図である。図３において、移動端末３００は、ＣＰＵ３１、ＲＯＭ３２、ＲＡＭ３３、タッチパネル３４、補助記憶装置３５、近距離無線通信機３６、デジタルカメラ３７等を有する。
【００２９】
ＲＯＭ３２及び補助記憶装置３５は、移動端末３００にインストールされたプログラムの１つであって、プレイリスト管理部３１０を実現するプレイリスト管理プログラム等を記憶する。ＲＡＭ３３は、プレイリスト管理プログラムの起動指示があった場合に、ＲＯＭ３２又は補助記憶装置３５からプレイリスト管理プログラムを読み出して記憶する。ＣＰＵ３１は、ＲＡＭ３３に記憶されたプレイリスト管理プログラムに従ってユーザ端末３０に係る機能を実現する。
【００３０】
タッチパネル３４は、入力機能と表示機能との双方を備えた電子部品であり、情報の表示や、ユーザからの入力の受け付け等を行う。タッチパネル３４は、出力装置３８及び入力装置３９等を含む。
【００３１】
出力装置３８は、液晶ディスプレイ等であり、タッチパネル３４の表示機能を担う。入力装置３９は、出力装置３８に対する接触物の接触を検出するセンサを含む電子部品である。接触物とは、タッチパネル３４の接触面（表面）に接触する物体をいう。接触する物体の一例として、ユーザの指や専用又は一般のペン等が挙げられる。
【００３２】
尚、タッチパネル３４は必ずしも備えている必要はなく、移動端末３００が出力装置３８と入力装置３９を別々に備えていてもよい。また、出力装置３８は、移動端末３００と外付けで接続されていてもよい。また、入力装置３９は接触を検出するセンサに限られず、ハードウェアキー、キーボード、マウス等の電子部品も含まれる。
【００３３】
近距離無線通信機３６は、近距離無線通信を行うためのハードウェアである。本実施形態において、近距離無線通信機３６は、ＮＦＣタグに記憶されている情報を読み取る。すなわち、本実施形態において、近距離無線通信機３６は、ＮＦＣリーダが好適である。デジタルカメラ３７は、撮像機能を有する一般的なデジタルカメラであって、移動端末３００に電子部品として内蔵されていてもよいし、移動端末３００と外付けで接続されていてもよい。
【００３４】
尚、本実施形態の移動端末３００は、例えば、タッチパネル３４やデジタルカメラ３７、近距離無線通信機３６を有していなくても良い。本実施形態の移動端末３００の出力装置３８は、ディスプレイであって、入力装置３９は、キーボードやポインティングデバイス等であっても良い。
【００３５】
次に、図４乃至図１０を参照して、サーバ装置２００の有する各データベースについて説明する。各データベースは、例えば、サーバ装置２００の補助記憶装置２４等に設けられても良い。
【００３６】
図４は、目的地データベースの一例を示す図である。本実施形態の目的地データベース２１１は、情報の項目として、チャンネルＩＤ、チャンネル名、緯度、経度、地名を有し、項目「チャンネルＩＤ」と、その他の項目とが対応付けられている。
【００３７】
以下の説明では、プレイリストに紐付けられる目的地を、チャンネルと呼ぶ。なお、プレイリストは、例えば目的地を管理する者や目的地にてイベントを開催する者等、目的地に関係する者によって作成され、サーバ装置２００に提供されてもよいし、サーバ装置２００がプレイリストを作成してもよい。プレイリストには、目的地に関連する楽曲又は音声が含まれ、自家用車等で目的地に来訪するユーザに提供されてもよい。ここでのユーザは、移動端末３００を所有する所有者である。
【００３８】
本実施形態の目的地データベース２１１に格納された各情報は、例えば、ネットワーク上に存在する外部のサーバから取得した情報であっても良い。
【００３９】
項目「チャンネルＩＤ」の値は、チャンネルを特定するための識別情報である。項目「緯度」、「経度」のそれぞれは、目的地の緯度と経度を示す。項目「地名」の値は、緯度、経度が示す地点、すなわち目的地の地名である。
【００４０】
図５は、指定地点データベースの一例を示す図である。指定地点データベース２１２は、情報の項目として、地点ＩＤ、名称、緯度、経度を有し、項目「地点ＩＤ」とその他の項目とが対応付けられている。
【００４１】
項目「地点ＩＤ」の値は、地点を特定するための識別情報であり、項目「名称」の値は、地点の名称を示し、項目「緯度」、「経度」の値は、地点の緯度と経度を示す。
【００４２】
図６は、楽曲データベースの一例を示す図である。本実施形態の楽曲データベース２１３は、プレイリストの作成の際に、サーバ装置２００がＣＤＤＢ４００等から取得した情報等が格納される。
【００４３】
本実施形態の楽曲データベース２１３は、情報の項目として、楽曲ＩＤ、楽曲名、演奏時間を有し、項目「楽曲ＩＤ」と、その他の項目とが対応付けられている。項目「楽曲ＩＤ」の値は、楽曲を特定するための識別情報であり、項目「楽曲名」の値は、楽曲の名称を示し、項目「演奏時間」の値は、楽曲の演奏時間を示す。
【００４４】
尚、楽曲データベース２１３には、ナレーションや効果音等の音声情報を特定するための情報、音声情報の名称を示す情報、音声情報の再生時間、画像情報を特定するための情報、画像情報の名称を示す情報等が含まれても良い。また、楽曲データベース２１３には、楽曲ＩＤで特定される楽曲の楽曲情報そのものである楽曲ファイルが、楽曲ＩＤと対応付けられて格納されても良い。音声情報そのものである音声情報、画像情そのものである画像情報についても同様である。以下の説明では、楽曲データベース２１３に格納された情報を音情報と呼ぶ。
【００４５】
図７は、プレイリストデータベースの一例を示す図である。本実施形態のプレイリストデータベース２１４は、サーバ装置２００が特定するプレイリスト（フルリスト）が格納される。
【００４６】
本実施形態のプレイリストデータベース２１４は、情報の項目として、チャンネルＩＤ、タイミング条件、再生条件、優先度、楽曲ＩＤ、画像ＩＤを含み、項目「チャンネルＩＤ」と、その他の項目とが対応付けられている。
【００４７】
以下の説明では、プレイリストデータベース２１４において、項目「チャンネルＩＤ」の値と、その他の項目の値とを含む情報をプレイリスト情報と呼ぶ。また、以下の説明では、チャンネルＩＤが同一のプレイリスト情報を、チャンネルＩＤによって特定されるプレイリストとする。
【００４８】
項目「チャンネルＩＤ」の値は、チャンネルを特定するための識別情報である。項目「タイミング条件」の値は、楽曲ＩＤで特定される楽曲を再生するタイミングに関する条件を示す。
【００４９】
具体的には、例えば、楽曲ＩＤと対応するタイミング条件が「フロー」である場合には、この楽曲ＩＤによって特定される楽曲は、再生条件で指定した順にしたがって再生される。
【００５０】
また、楽曲ＩＤと対応するタイミング条件が「スタート」である場合には、この楽曲ＩＤによって特定される楽曲は、移動端末３００が現在位置から出発するときに再生される。
【００５１】
また、楽曲ＩＤと対応するタイミング条件が「エンド」である場合には、この楽曲ＩＤによって特定される楽曲は、移動端末３００が目的地に到着したときに再生される。
【００５２】
また、楽曲ＩＤと対応するタイミング条件が「指定地点」である場合には、この楽曲ＩＤによって特定される楽曲は、移動端末３００が、再生条件で指定される指定地点に到着したとき又はその後所定時間内に再生される。また、楽曲ＩＤと対応するタイミング条件が「指定時間」である場合には、この楽曲ＩＤによって特定される楽曲は、移動端末３００が、目的地に到着するまでの残り時間が指定時間になったとき又はその後所定時間内に再生される。
【００５３】
項目「再生条件」の値は、楽曲ＩＤで特定される楽曲の再生に関する条件を示す。具体的には、例えば、楽曲ＩＤと対応するタイミング条件が「フロー」である場合、項目「再生条件」の値は、タイミング条件が「フロー」とされた楽曲における再生順を示す。
【００５４】
また、楽曲ＩＤと対応するタイミング条件が「スタート」又は「エンド」である場合には、項目「再生条件」の値は設定されない。
【００５５】
また、楽曲ＩＤと対応するタイミング条件が「指定地点」である場合には、項目「再生条件」の値は、指定地点データベース２１２に紐付けられる地点ＩＤを示す。楽曲ＩＤと対応するタイミング条件が「指定時間」である場合には、項目「再生条件」の値は、目的地に到着するまでの残り時間を示す。
【００５６】
図７の例では、チャンネルＩＤ「ｃｈ００１」で特定されるプレイリストには、楽曲ＩＤ「０００００１」〜「０００００６」、「Ｎ００００１」、「Ｎ００００２」、「１００００１」、「１００００２」、「Ｎ００００３」、「Ｎ００００４」によって特定される楽曲が指定されている。
【００５７】
また、楽曲ＩＤ「０００００１」のタイミング条件は、「フロー」であり、再生条件は「００１」である。したがって、楽曲ＩＤ「０００００１」で特定される楽曲は、チャンネルＩＤ「ｃｈ００１」で特定されるプレイリストにおいて、タイミング条件が「フロー」とされた楽曲のうち、１番目に再生される。
【００５８】
また、楽曲ＩＤ「Ｎ００００１」のタイミング条件は、「スタート」である。したがって、楽曲ＩＤ「Ｎ００００１」で特定されるナレーションは、現在位置から出発するときに再生される。更に、このナレーションとともに画像ＩＤ「Ｇ００００１」で特定される画像が表示される。
【００５９】
また、楽曲ＩＤ「１００００１」のタイミング条件は、「指定時間」であり、再生条件は「５分」である。したがって、楽曲ＩＤ「１００００１」で特定される楽曲は、移動端末３００の現在位置情報が、目的地までにかかる残り時間があと５分又はその前後の所定時間内の地点となったときに再生される。
【００６０】
また、楽曲ＩＤ「Ｎ００００３」のタイミング条件は、「指定地点」であり、再生条件は「Ｌ０００１」である。したがって、楽曲ＩＤ「Ｎ００００１」で特定されるナレーションは、移動端末３００の現在位置情報が、地点ＩＤ「Ｌ０００１」で特定される地点の緯度・経度と一致した場合に再生される。尚、楽曲ＩＤ「１００００１」で特定される楽曲は、移動端末３００の現在位置情報が、地点ＩＤ「Ｌ０００１」で特定される地点の緯度・経度を中心とした所定範囲内に入った場合に、再生されても良い。
【００６１】
項目「優先度」の値は、現在位置から目的地までの移動時間（目的地に到着するまでの所要時間）分の演奏時間にプレイリストを絞り込む際に、楽曲ＩＤで特定される楽曲を優先して選択するか否かを示す。例えば、優先して演奏させたい楽曲には「高」を設定する。
【００６２】
尚、プレイリストは、チャンネルＩＤで特定される予め登録された地点と、前記地点に関連する楽曲及び／又は音声が少なくとも１以上含んでいればよい。また、プレイリストには、楽曲及び／又は音声のうちの少なくとも一部の楽曲及び／又は音声に、目的地までの距離及び／又は目的地に到着するまでの所要時間の条件情報が対応付けられてもよい。
【００６３】
図８は、再生用プレイリストの一例を示す図である。本実施形態の再生用プレイリスト２１５は、プレイリストから絞り込んで作成された楽曲及び／又は音声等が格納される。再生用プレイリストには、楽曲ＩＤ「０００００１」、「０００００５」、「０００００６」、「Ｎ００００１」、「Ｎ００００２」、「１００００１」、「Ｎ００００３」によって特定される楽曲及びナレーションと、「Ｇ００００１」によって特定される画像とが指定されている。
【００６４】
次に、図９を参照して、本実施形態の音情報提供システム１００の有する各装置の機能について説明する。
【００６５】
図９は、音情報提供システムの各装置の機能構成を説明する図である。初めに、サーバ装置２００の機能について説明する。
【００６６】
本実施形態のサーバ装置２００は、音情報提供部２１０を有する。音情報提供部２１０は、ＣＰＵ２４がメモリ装置２３に格納された音情報提供プログラムを読み出して実行することで実現される。
【００６７】
音情報提供部２１０は、取得処理部２２０と、出力処理部２３０と、通信部２４０とを有する。
【００６８】
取得処理部２２０は、移動端末３００において入力された情報に基づき、目的地に合致する地点に対応するプレイリストを取得する。出力処理部２３０は、プレイリストから絞り込んだ再生用プレイリストを移動端末３００へ送信する。通信部２４０は、サーバ装置２００と、移動端末３００を含む外部の装置との通信を行う。
【００６９】
取得処理部２２０は、画面表示部２２１と、プレイリスト取得部２２２と、格納部２２３とを有する。
【００７０】
画面表示部２２１は、移動端末３００に各種の画面を表示させる。具体的には、画面表示部２２１は、移動端末３００に、各種の画面を表示させるための画面データを生成しても良いし、移動端末３００に各種の画面を表示させるためのＵＲＬ（Uniform  Resource  Locator）を通知しても良い。
【００７１】
プレイリスト取得部２２２は、移動端末３００から入力された目的地情報に対応するプレイリストを取得する。格納部２２３は、プレイリスト取得部２２２によって取得されたプレイリストを格納する。格納されるプレイリストは、チャンネルＩＤが目的地情報に合致する地点のチャンネルを示すプレイリストのフルリストである（図７を参照）。
【００７２】
出力処理部２３０は、再生用プレイリスト作成部２３１と、出力部２３２とを有する。
【００７３】
再生用プレイリスト作成部２３１は、プレイリスト取得部２２２が取得したプレイリストを絞り込み、再生用プレイリストを作成する（図８参照）。から、再生用プレイリスト作成部２３１は、移動端末３００の現在位置情報に基づき、現在値から目的地までの所要時間及び現在位置から目的地までの距離の条件情報を満たす場合に、前記条件情報が対応付けられた楽曲又は音声を含む再生用プレイリストを作成する。
【００７４】
尚、現在値から目的地までの所要時間は、移動端末３００が算出し、移動端末３００からサーバ装置２００に送信されてもよいし、サーバ装置２００が、移動端末３００から送信された移動端末３００の現在位置と目的地情報とを用いて算出してもよい。
【００７５】
現在位置から目的地までのルート情報についても同様に、移動端末３００が特定し移動端末３００からサーバ装置２００に送信されてもよいし、サーバ装置２００が、移動端末３００の現在位置と目的地情報とから特定してもよい。
【００７６】
出力部２３２は、再生用プレイリストを通信部２４０を介して移動端末３００へ出力する。このときの再生用プレイリストは、プレイリストから楽曲を絞り込んだ後のリストである。出力部２３２は、再生用プレイリストを、通信部２４０を介して移動端末３００へ出力する。
【００７７】
次に、本実施形態の移動端末３００の機能について説明する。本実施形態の移動端末３００は、プレイリスト管理部３１０を有する。プレイリスト管理部３１０は、ＣＰＵ３１が、ＲＡＭ３３に記憶されたプレイリスト管理プログラムを読み出して実行することで実現される。
【００７８】
本実施形態のプレイリスト管理部３１０は、入力受付部３１１、表示制御部３１２、通信部３１３、再生処理部３２０を有する。
【００７９】
入力受付部３１１は、移動端末３００に対する各種の入力を受け付ける。具体的には、入力受付部３１１は、移動端末３００のユーザの操作により入力される情報を受け付ける。
【００８０】
表示制御部３１２は、移動端末３００における表示を制御する。通信部３１３は、移動端末３００と、外部の装置との通信を行う。
【００８１】
再生処理部３２０は、移動端末３００が取得した再生用プレイリストの再生処理を行う。本実施形態の再生処理部３２０は、位置情報取得部３２１、所要時間判定部３２２、データ有無判定部３２３、再生部３２４を有する。
【００８２】
位置情報取得部３２１は、移動端末３００の現在位置を示す現在位置情報を取得する。現在位置情報とは、緯度・経度で示される位置情報である。所要時間判定部３２２は、移動端末３００の現在位置から目的地までの所要時間を算出する。
【００８３】
データ有無判定部３２３は、プレイリストに含まれる楽曲ＩＤで特定される楽曲の楽曲情報が、移動端末３００内に存在するか否かを判定する。再生部３２４は、再生用プレイリストを再生する。
【００８４】
次に、図１０を参照して、本実施形態のサーバ装置２００におけるプレイリストの取得について説明する。図１０は、取得処理部による処理を説明するフローチャートである。
【００８５】
本実施形態のサーバ装置２００の音情報提供部２１０は、移動端末３００から、プレイリストの取得要求を受けつけると、取得処理部２２０の画面表示部２２１により、移動端末３００に目的地を選択させるための画面を表示させ、目的地の選択を受け付ける（ステップＳ１２０１）。
【００８６】
より具体的には、取得処理部２２０は、通信部２４０を介して、移動端末３００において選択された目的地を示す目的地情報を受信する。
【００８７】
目的地の選択を受け付けると、プレイリスト取得部２２２は、移動端末３００から受信した目的地情報に対応するプレイリストを取得する（ステップＳ１２０２）。続いて、プレイリスト取得部２２２は、画面表示部２２１により、プレイリスト作成画面を移動端末３００に表示させる（ステップＳ１２０３）。
【００８８】
続いて、取得処理部２２０は、移動端末３００において入力された情報に応じて、プレイリストを作成する（ステップＳ１２０４）。次に、格納部２２３は、作成したプレイリストをプレイリストデータベース２１４に格納し（ステップＳ１２０５）、処理を終了する。
【００８９】
以下に、図１１を参照して、取得処理部２２０の処理について具体的に説明する。図１１は、移動端末の表示例を示す第一の図である。
【００９０】
本実施形態のサーバ装置２００は、例えば、移動端末３００の現在位置情報と、目的地データベース２１１とに基づき、移動端末３００の現在位置を含む所定範囲の地域の地図を移動端末３００の出力装置３８等に表示させても良い。
【００９１】
図１１の例では、目的地に「東京カキクパーク」が選択された状態を示している。移動端末３００は、現在位置が自宅であり、画面１３１において目的地が選択されると、目的地情報及び現在位置情報をサーバ装置３００に送信してもよい。さらに、移動端末３００は、ルート検索機能を使用して、任意に選択したルート情報「ルートＲ１」と、自宅から目的地までの所要時間「３０分」、目的地までの距離「７．９ｋｍ」を算出して、サーバ装置２００に送信しても良い。
【００９２】
尚、本実施形態では、取得処理部２２０がサーバ装置２００に設けられており、図１０を参照して説明した処理は、移動端末３００から情報を受信した取得処理部２２０がサーバ装置２００において実行するものとしたが、これに限定されない。
【００９３】
取得処理部２２０は、移動端末３００側に、プレイリスト管理部３１０の機能の一部として設けられていても良い。
【００９４】
次に、図１２を参照して、本実施形態の音情報提供システム１００における再生用プレイリストの特定と再生について説明する。図１２は、音情報提供システムの動作を示すシーケンス図である。図１２では、主に、サーバ装置２００の出力処理部２３０の処理と、移動端末３００のプレイリスト管理部３１０の処理とを示している。
【００９５】
本実施形態の音情報提供システム１００において、移動端末３００は、プレイリスト管理部３１０の入力受付部３１１により、プレイリストの取得指示を受け付けると、表示制御部３１２により、目的地の選択を受け付ける画面を表示させる（ステップＳ１７０１）。
【００９６】
尚、本実施形態では、プレイリストの取得指示を受けつける際に、移動端末３００の目的地が入力されても良い。
【００９７】
続いて、移動端末３００は、目的地が選択されると、再生処理部３２０の位置情報取得部３２１により、現在位置情報を取得する（ステップＳ１７０２）。
【００９８】
そして、移動端末３００は、通信部３１３により、選択された目的地情報と、現在位置情報とをサーバ装置２００へ送信する（ステップＳ１７０３）。また、移動端末３００は、目的地までの所要時間及びルート情報を取得し、目的地情報及び現在位置情報とともにサーバ装置２００へ送信してもよい。尚、所要時間及びルート情報は、目的地情報と現在位置情報とに基づき、サーバ装置２００が算出及び特定してもよい。
【００９９】
サーバ装置２００は、通信部２４０を介して、目的地情報と現在位置情報と所要時間とルート情報を受信すると、プレイリスト取得部２２２により、目的地データベース２１１を参照し、目的地情報に合致する地点、すなわち、目的地情報に合致するチャンネル名の有無を判定する（Ｓ１７０４）。
【０１００】
ステップＳ１７０４において、目的地データベース２１１を参照し、目的地情報に合致するチャンネル名がないと判定された場合、処理が終了する。
【０１０１】
目的地情報に合致するチャンネル名がある場合、サーバ装置２００は、プレイリスト取得部２２２により、目的地情報に合致するチャンネル名のチャンネルＩＤに対応するプレイリストを取得する（ステップＳ１７０５）。
【０１０２】
例えば、図４に示す目的地データベース２１１において、目的地情報「東京カキクパーク」に合致するチャンネル名が「東京カキクパーク公式」があると判定された場合、チャンネル名「東京カキクパーク公式」に対応するチャンネルＩＤ「ｃｈ００１」が特定される。この場合、図７に示すように、チャンネルＩＤ「ｃｈ００１」のプレイリスト情報が取得される。
【０１０３】
図１２に戻って、サーバ装置２００は、プレイリストが取得されると、通信部２４０を介して移動端末３００にプレイリストを送信する（ステップＳ１７０６）。
【０１０４】
移動端末３００は、プレイリストを取得すると、データ有無判定部３２３により、再生用プレイリストに含まれる楽曲ＩＤで特定される楽曲情報が、移動端末３００内に保持されているか否かを判定する（ステップＳ１７０７）。
【０１０５】
続いて、移動端末３００は、表示制御部３１２により、判定結果と、移動端末３００に保持されていない楽曲情報の取得方法と、を示す画面を表示させる（ステップＳ１７０８）。移動端末３００は、楽曲情報の取得方法の入力を受け付けると、入力された値をサーバ装置２００へ通知する（ステップＳ１７０９）。
【０１０６】
サーバ装置２００は、入力された値に基づき、楽曲情報を取得し、再生用プレイリスト作成部２３１により、再生用プレイリストを作成する（ステップＳ１７１０）。再生用プレイリストの作成の詳細は後述する。
【０１０７】
そして、サーバ装置２００は、作成した再生用プレイリストを移動端末３００へ送信する（ステップＳ１７１１）。
【０１０８】
移動端末３００は、再生部３２４により、更新された再生用プレイリストを再生する（ステップＳ１７１２）。移動端末３００は、所要時間判定部３２２により、現在位置から目的地までの所要時間を算出し、現在位置から目的地までの所要時間とをサーバ装置２００へ送信する（ステップＳ１７１３）。
【０１０９】
サーバ装置２００は、再生用プレイリスト作成部２３１によって、再生用プレイリストから再生済みの楽曲又は音声を除いた後、移動端末３００の現在位置から目的地までの所要時間に基づき、再生用プレイリストを再作成する（ステップＳ１７１４）。
【０１１０】
続いて、サーバ装置２００は、再作成された再生用プレイリストを移動端末３００に送信する（ステップＳ１７１５）。
【０１１１】
移動端末３００は、再生部３２４により、再作成された再生用プレイリストを再生する（ステップＳ１７１６）。ステップＳ１７１３〜Ｓ１７１６の処理は、移動端末３００が、目的地までの移動状況に応じて繰り返し実行されてもよい。例えば、ステップＳ１７１３〜Ｓ１７１６の処理は、移動端末３００が、目的地までの距離が予め定められた距離以上の間又は目的地までの所要時間が予め定められた時間以上の間、繰り返されてもよい。
【０１１２】
尚、移動端末３００は、再生用プレイリストと、選択された目的地までのルートとを対応付けた画面を表示させても良い。
【０１１３】
次に、図１３を参照して、本実施形態の再生用プレイリスト作成部２３１による再生用プレイリストの作成の処理について説明する。図１３は、再生用プレイリスト作成部の処理を説明するフローチャートである。
【０１１４】
本実施形態の再生用プレイリスト作成部２３１は、ステップＳ１７０５で取得されたプレイリストの再生時間と、現在位置から目的地までの所要時間とが一致するか否かを判定する（ステップＳ１８０１）。尚、再生用プレイリスト作成部２３１は、プレイリストの再生時間と、所要時間との差分が所定範囲内であるか否かを判定しても良い。より具体的には、再生用プレイリスト作成部２３１は、所要時間が再生時間よりも短いか否かを判定している。取得されたプレイリストの再生時間は、楽曲データベース２１３を参照して、プレイリストに含まれる各楽曲ＩＤの演奏時間を合計することで算出される。
【０１１５】
ステップＳ１８０１において、再生時間と所要時間とが一致する場合、再生用プレイリスト作成部２３１は、取得したプレイリストを再生用プレイリストとし、本処理を終了する。
【０１１６】
ステップＳ１８０１において、再生時間と所要時間とが一致しない場合、再生用プレイリスト作成部２３１は、取得したプレイリストの中から、タイミング条件、再生条件、優先度に応じて、楽曲ＩＤを抽出する（ステップＳ１８０２）。本実施形態では、取得したプレイリストの中から、優先度が「高」の楽曲ＩＤを抽出するが、これに限られない。
【０１１７】
続いて、再生用プレイリスト作成部２３１は、抽出した楽曲ＩＤで特定される楽曲の再生時間の合計が所要時間と一致する否かを判定する（ステップＳ１８０３）。尚、ステップＳ１８０３では、再生時間の合計と所要時間との差分が所定範囲内であるか否かを判定しても良い。より具体的には、再生用プレイリスト作成部２３１は、再生時間の合計が所要時間よりも短いか否かを判定していても良い。
【０１１８】
ステップＳ１８０３において、再生時間の合計と所要時間とが一致する場合、再生用プレイリスト作成部２３１は、抽出された楽曲ＩＤを含むプレイリスト情報の集合を、再生用プレイリストし、本処理を終了する。
【０１１９】
ステップＳ１８０３において、再生時間の合計と所要時間とが一致しない場合、再生用プレイリスト作成部２３１は、再生時間の合計が所要時間よりも長いかを判定する（ステップＳ１８０４）。再生時間の合計が所要時間よりも長い場合、再生用プレイリスト作成部２３１は、抽出した楽曲ＩＤで特定される楽曲の中で、削除したときの再生時間の合計が所要時間に最も近くなる楽曲を抽出し、抽出した楽曲を削除する（Ｓ１８０５）。そして、再生用プレイリスト作成部２３１は、削除後の楽曲ＩＤを含むプレイリスト情報の集合を、再生用プレイリストし、本処理を終了する。尚、削除する楽曲は１つであってもよいし、２つ以上であってもよい。
【０１２０】
一方、ステップＳ１８０４において、再生時間の合計が所要時間よりも短い場合、再生用プレイリスト作成部２３１は、優先度が「高」でない楽曲ＩＤで特定される楽曲の中で、追加したときの再生時間の合計が所要時間に最も近くなる楽曲を抽出し、抽出した楽曲を追加する（Ｓ１８０６）。そして、再生用プレイリスト作成部２３１は、追加後の楽曲ＩＤを含むプレイリスト情報の集合を、再生用プレイリストし、本処理を終了する。尚、追加する楽曲は１つであってもよいし、２つ以上であってもよい尚、追加する楽曲は１つであってもよいし、２つ以上であってもよい。
【０１２１】
次に、図１４を参照して、本実施形態の再生用プレイリスト作成部２３１による再生用プレイリストの再作成の処理について説明する。図１４は、再生用プレイリスト作成部の処理を説明するフローチャートである。本処理は、図１３の再生用プレイリスト作成部の処理を実行した後に、定期的又は不定期に実行される。例えば、目的地までの移動中の渋滞の状況に応じて実行されてもよい。
【０１２２】
本実施形態の再生用プレイリスト作成部２３１は、図１２のステップＳ１７０５で取得したプレイリストから既に再生された楽曲を除く（ステップＳ１９００）。次に、再生用プレイリスト作成部２３１は、再生済みの楽曲を除いた後のプレイリストの再生時間を算出し、算出されたプレイリストの再生時間と、現在位置から目的地までの所要時間とが一致するか否かを判定する（ステップＳ１９０１）。尚、再生用プレイリスト作成部２３１は、プレイリストの再生時間と、所要時間との差分が所定範囲内であるか否かを判定しても良い。
【０１２３】
ステップＳ１９０１において、再生時間と所要時間とが一致する場合、再生用プレイリスト作成部２３１は、特定されたプレイリストを再生用プレイリストとし、本処理を終了する。
【０１２４】
ステップＳ１９０１において、再生時間と所要時間とが一致しない場合、再生用プレイリスト作成部２３１は、Ｓ１８０２〜Ｓ１８０６の処理を実行する。Ｓ１８０２〜Ｓ１８０６の処理についは、図１３の同一ステップ番号の処理と同じであるため、ここでは説明を省略する。
【０１２５】
次に、図１５を参照して、プレイリストの再生における移動端末３００の表示について説明する。図１５は、移動端末の表示例を示す第二の図である。図１５は、図１２のステップＳ１７０７において移動端末３００に表示されるデータ有無判定部３２３による判定結果が表示された画面と、楽曲情報の取得方法を選択させる画面の一例を示す。
【０１２６】
図１５に示す画面２０５Ａは、プレイリストに含まれる楽曲の一覧２０６と、データ有無判定部３２３の判定結果の一覧２０７とが表示されている。
【０１２７】
一覧２０７では、サーバ装置２００から取得したプレイリストに含まれる楽曲毎の、移動端末３００内における楽曲情報の有無を示している。一覧２０７において、「あり」とされている楽曲は、楽曲情報が移動端末３００内に格納されており、直ちに再生できる状態を示す。また、一覧２０７において、「なし」とされている楽曲は、楽曲情報が移動端末３００内に格納されておらず、新たに楽曲情報をサーバ装置２００から取得する必要があることを示す。
【０１２８】
画面２０５Ｂは、一覧２０７において、「なし」とされた楽曲の楽曲情報の取得方法を選択するための画面である。画面２０５Ｂでは、楽曲情報の取得方法の一覧２０８が表示さている。
【０１２９】
一覧２０８では、例えば、楽曲の購入、楽曲のストリーミング再生、サンプル再生を含む。一覧２０８において、楽曲の購入が選択されると、サーバ装置２００から該当する楽曲情報が移動端末３００にダウンロードされ、楽曲情報が移動端末３００内に格納される。
【０１３０】
ストリーミング再生が選択された場合、サーバ装置２００と接続した状態で、楽曲の再生が行われる。
【０１３１】
サンプル再生が選択された場合、該当する楽曲の楽曲情報の一部であるサンプルデータがダウンロードされるか、又は、サーバ装置２００と接続した状態で再生される。
【０１３２】
サーバ装置２００は、例えば、画面２０５Ｂにおいて、不足している楽曲情報の取得方法として、サンプル再生が選択された場合には、この楽曲の再生時間を、サンプルデータの再生時間として、再生用プレイリストの作成又は再作成を行う。
【０１３３】
次に、図１６乃至図１９を参照して、移動端末３００における再生部３２４の処理について説明する。図１６は、移動端末による再生用プレイリストの再生処理を説明する第一のフローチャートである。図１６は、再生用プレイリストの再生を開始する際の処理を示している。
【０１３４】
移動端末３００において、再生処理部３２０の再生部３２４は、移動端末３００が現在位置から移動したか否かを判定する（ステップＳ２００１）。ステップＳ２００１において、移動端末３００が移動していない場合、再生部３２４は、待機する。
【０１３５】
ステップＳ２００１において、移動端末３００が現在位置から移動した場合、再生部３２４は、取得した再生用プレイリストに含まれる、タイミング条件が「スタート」である楽曲の再生を開始する（ステップＳ２００２）。
【０１３６】
図１７は、移動端末による再生用プレイリストの再生処理を説明する第二のフローチャートである。図１７は、再生用プレイリストに、タイミング条件として、指定地点が設定されていた場合の再生用プレイリストの再生の処理を示している。
【０１３７】
移動端末３００は、再生部３２４により、再生用プレイリストにおいて、タイミング条件に「指定地点」が設定された楽曲が存在するか否かを判定し、該当する楽曲が存在する場合に、位置情報取得部３２１により、移動端末３００が指定地点を通過したか否かを判定する（ステップＳ２１０１）。
【０１３８】
ステップＳ２１０１において、指定地点を通過していない場合、再生部３２４は待機する。ステップＳ２１０１において、指定地点を通過した場合、再生部３２４は、タイミング条件が「指定地点」とされた楽曲の楽曲情報を再生する（ステップＳ２１０２）。
【０１３９】
図１８は、移動端末による再生用プレイリストの再生処理を説明する第三のフローチャートである。図１８は、再生用プレイリストに、タイミング条件として、指定時間が設定されていた場合の再生用プレイリストの再生の処理を示している。
【０１４０】
移動端末３００は、再生部３２４により、再生用プレイリストにおいて、タイミング条件に「指定時間」が設定された楽曲が存在するか否かを判定し、該当する楽曲が存在する場合に、所要時間判定部３２２により、現在位置から目的地までの所要時間が指定時間より短くなったか否かを判定する（ステップＳ２２０１）。
【０１４１】
ステップＳ２２０１において、所要時間が指定時間よりも長い場合、再生部３２４は待機する。ステップＳ２２０１において、所要時間が指定時間より短くなった場合、再生部３２４は、タイミング条件に指定時間が設定された楽曲の楽曲情報を再生する（ステップＳ２２０２）。
【０１４２】
図１９は、移動端末による再生用プレイリストの再生処理を説明する第四のフローチャートである。図１９は、移動端末３００が目的地に到着した場合の再生用プレイリストの再生の処理を示している。
【０１４３】
移動端末３００において、再生部３２４は、位置情報取得部３２１により、移動端末３００目的地へ到着したか否かを判定する（ステップＳ２３０１）。具体的には、再生部３２４は、位置情報取得部３２１が取得した現在位置情報が示す位置が、目的地から所定の範囲内であるか否かを判定しても良い。
【０１４４】
ステップＳ２３０１におい、目的地に到着していない場合、再生部３２４は待機する。ステップＳ２３０１において、目的地に到着した場合、再生部３２４は、再生用プレイリストにおいて、タイミング条件にエンドが設定された楽曲の楽曲情報を再生する（ステップＳ２３０２）。
【０１４５】
次に、図２０を参照して、目的地に対応付けられた再生用プレイリストを表示させる画面について説明する。図２０は、移動端末の表示例を示す第三の図である。
【０１４６】
図２０に示す画面２４１は、表示欄２４２、２４３、２４４、２４５を含む。表示欄２４２は、出発点から目的地までを表示させるための地図情報が表示される。表示欄２４３には、選択された目的地が表示される。表示欄２４４には、目的地に対応付けられた再生用プレイリストの一覧が表示される。表示欄２４５には、再生されている再生用プレイリストに含まれる楽曲名の一覧が表示される。
【０１４７】
図２０の例では、表示欄２４２において、出発点から目的地までの所要時間と距離が特定されたことを示している。また、表示欄２４３、２４４から、目的地には東京カキクパークが選択されており、再生用プレイリストの一覧として、プレイリストＡ、Ｂが表示されている。
【０１４８】
このとき、表示欄２４４では、優先順位が高い順に、再生用プレイリストを表示させても良い。また、表示欄２４４では、再生されているプレイリストが強調表示されても良い。図２０の例では、プレイリストＡの優先順位が最も高く、再生されていることがわかる。また、表示欄２４５には、プレイリストＡに含まれる楽曲の一覧が表示されている。
【０１４９】
このように、本実施形態では、目的地と再生用プレイリストとが対応付けられているため、目的地までの到達の程度に応じた楽曲やナレーションをユーザに提供することができる。
【０１５０】
例えば、サーバ装置２００は、目的地に到着するまでの所要時間の条件情報に基づき、再生用プレイリスト内に含める楽曲又は音声を特定することができる。また、サーバ装置２００は、目的地までの距離の条件情報に基づき、再生用プレイリスト内に含める楽曲又は音声を特定することができる。また、サーバ装置２００は、指定時間及び／又は指定地点の条件情報に基づき、再生用プレイリスト内に含める楽曲又は音声を特定することができる。また、サーバ装置２００は、優先度の条件情報に基づき、前記優先度の高い順に前記再生用プレイリスト内に含める楽曲又は音声を特定することができる。
【０１５１】
これにより、作成された再生用プレイリストによれば、たとえば、図２１に示すように、移動端末３００の現在位置から、出発点Ｐ１から移動端末３００が移動したことを検知すると、タイミング条件が「スタート」である楽曲ＩＤによって特定される楽曲が再生される。
【０１５２】
また、移動端末３００の現在位置から、移動端末３００が指定地点Ｐ２を通過したことを検出すると、タイミング条件がＰ２の「指定地点」である楽曲ＩＤによって特定される楽曲が再生される。
【０１５３】
また、移動端末３００の現在位置から、移動端末３００が地点Ｐ３を通過したとき、再生用プレイリストが再作成された場合、その後の再生は、新しい再生用プレイリストに基づき行われる。
【０１５４】
また、移動端末３００の現在位置から、移動端末３００が指定時間「目的地まで残り５分」の地点Ｐ４を通過したことを検出すると、タイミング条件が残り５分の「指定時間」である楽曲ＩＤによって特定される楽曲が再生される。
【０１５５】
また、移動端末３００の現在位置から、移動端末３００が目的地Ｐ５に到着したことを検知すると、タイミング条件が「エンド」である楽曲ＩＤによって特定される楽曲が再生される。
【０１５６】
このようにして、目的地に向けて出発してから到着するまで、再生用プレイリストに設定された条件を満足するときに条件に対応する楽曲やナレーションを再生することで、目的地までの到達の程度に応じた楽曲又は音声情報を提供できる。
【０１５７】
楽曲ＩＤによって特定される楽曲とともに、画像ＩＤによって特定される画像を表示してもよい。例えば、タイミング条件が「スタート」や「エンド」のときに楽曲ＩＤによって特定されるナレーションや効果音を画像とともに再生することで、目的地までの到達の程度に応じた楽曲又は音声情報をより効果的に提供することができる。
【０１５８】
例えば、イベント主催者等の目的地に関係する者が目的地に来訪するユーザに対して再生用プレイリストを提供することで、目的地へ移動中のユーザに目的地に合致した楽曲又は音声情報を提供することができる。これにより、ユーザに目的地までの移動中も飽きずに、目的地に行く高揚感を与えることができる。
【０１５９】
開示の技術では、以下に記載する付記のような形態が考えられる。
（付記１）
移動端末は、目的地の入力を受け付け、目的地情報と移動端末の現在位置情報とをサーバに送信し、
前記サーバは、予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を有し、
前記サーバは、前記記憶部を参照して、前記移動端末から受信した目的地情報に合致する地点がある場合には、前記地点に対応する前記プレイリストを取得し、
前記サーバは、前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信し、
前記移動端末は、前記再生用プレイリストに沿って楽曲又は音声を順次再生する、音情報提供システム。
（付記２）
前記サーバは、前記目的地に到着するまでの所要時間の条件情報に基づき、前記再生用プレイリスト内に含める楽曲又は音声を特定する、
付記１に記載の音情報提供システム。
（付記３）
前記サーバは、前記目的地までの距離の条件情報に基づき、前記再生用プレイリスト内に含める楽曲又は音声を特定する、
付記１又は２に記載の音情報提供システム。
（付記４）
前記サーバは、前記目的地に到着するまでの指定時間及び／又は指定地点の条件情報に基づき、前記再生用プレイリスト内に含める楽曲又は音声を特定する、
付記１〜３のいずれか一項に記載の音情報提供システム。
（付記５）
前記サーバは、再生についての優先度の条件情報に基づき、前記優先度の高い順に前記再生用プレイリスト内に含める楽曲又は音声を特定する、
付記１〜４のいずれか一項に記載の音情報提供システム。
（付記６）
前記サーバは、前記移動端末の現在位置情報から目的地までの距離及び／又は目的地に到着するまでの所要時間を検出し、前記再生用プレイリストから再生済みの楽曲又は音声を除いた後、検出した前記目的地までの距離及び／又は目的地に到着するまでの所要時間と前記条件情報とに基づき、前記再生用プレイリスト内に含める楽曲又は音声を特定する、
付記１〜５のいずれか一項に記載の音情報提供システム。
（付記７）
移動端末と、サーバ装置とを有する音情報提供システムによる音情報提供方法であって、
移動端末は、目的地の入力を受け付け、目的地情報と移動端末の現在位置情報とをサーバに送信し、
前記サーバは、予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を有し、
前記サーバは、前記記憶部を参照して、前記移動端末から受信した目的地情報に合致する地点がある場合には、前記地点に対応する前記プレイリストを取得し、
前記サーバは、前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信し、
前記移動端末は、前記再生用プレイリストに沿って楽曲又は音声を順次再生する、音情報提供方法。
（付記８）
前記サーバは、前記目的地に到着するまでの所要時間の条件情報に基づき、前記再生用プレイリスト内に含める楽曲又は音声を特定する、
付記７に記載の音情報提供方法。
（付記９）
前記サーバは、前記目的地までの距離の条件情報に基づき、前記再生用プレイリスト内に含める楽曲又は音声を特定する、
付記７又は８に記載の音情報提供方法。
（付記１０）
前記サーバは、前記目的地に到着するまでの指定時間及び／又は指定地点の条件情報に基づき、前記再生用プレイリスト内に含める楽曲又は音声を特定する、
付記７〜９のいずれか一項に記載の音情報提供方法。
（付記１１）
前記サーバは、再生についての優先度の条件情報に基づき、前記優先度の高い順に前記再生用プレイリスト内に含める楽曲又は音声を特定する、
付記７〜１０のいずれか一項に記載の音情報提供方法。
（付記１２）
前記サーバは、前記移動端末の現在位置情報から目的地までの距離及び／又は目的地に到着するまでの所要時間を検出し、前記再生用プレイリストから再生済みの楽曲又は音声を除いた後、検出した前記目的地までの距離及び／又は目的地に到着するまでの所要時間と前記条件情報とに基づき、前記再生用プレイリスト内に含める楽曲又は音声を特定する、
付記７〜１１のいずれか一項に記載の音情報提供方法。
（付記１３）
移動端末から、目的地情報と前記移動端末の現在位置情報とを受信し、
予め登録された地点と前記地点に関連する楽曲及び／又は音声が少なくとも１以上含まれるプレイリストであって、前記楽曲及び／又は音声のうちの少なくとも一部の楽曲及び／又は音声に、目的地までの距離及び／又は目的地に到着するまでの所要時間の条件情報が対応付けられたプレイリストを記憶した記憶部を参照して、前記移動端末から受信した目的地情報に合致する地点がある場合には、前記地点に対応する前記プレイリストを取得し、
前記移動端末の現在位置に基づき、取得した前記プレイリストに含まれる条件情報を満たす場合に、前記条件情報が対応付けられた楽曲又は音声を含む再生用プレイリストを作成し、前記再生用プレイリストを前記移動端末に送信する、処理をコンピュータに実行させる音情報提供プログラム。
（付記１４）
前記目的地に到着するまでの所要時間の条件情報に基づき、前記再生用プレイリスト内に含める楽曲又は音声を特定する、
付記１３に記載の音情報提供プログラム。
（付記１５）
前記目的地までの距離の条件情報に基づき、前記再生用プレイリスト内に含める楽曲又は音声を特定する、
付記１３又は１４に記載の音情報提供プログラム。
（付記１６）
前記目的地に到着するまでの指定時間及び／又は指定地点の条件情報に基づき、前記再生用プレイリスト内に含める楽曲又は音声を特定する、
付記１３〜１５のいずれか一項に記載の音情報提供プログラム。
（付記１７）
再生についての優先度の条件情報に基づき、前記優先度の高い順に前記再生用プレイリスト内に含める楽曲又は音声を特定する、
付記１３〜１６のいずれか一項に記載の音情報提供プログラム。
（付記１８）
前記移動端末の現在位置情報から目的地までの距離及び／又は目的地に到着するまでの所要時間を検出し、前記再生用プレイリストから再生済みの楽曲又は音声を除いた後、検出した前記目的地までの距離及び／又は目的地に到着するまでの所要時間と前記条件情報とに基づき、前記再生用プレイリスト内に含める楽曲又は音声を特定する、
付記１３〜１７のいずれか一項に記載の音情報提供プログラム。
【符号の説明】
【０１６０】
１００  音情報提供システム
２００  サーバ装置
２１０  音情報提供部
２１１  目的地データベース
２１２  指定地点データベース
２１３  楽曲データベース
２１４  プレイリストデータベース
２１５  再生用プレイリスト
２２０  取得処理部
２２１  画面表示部
２２２  プレイリスト取得部
２２３  格納部
２３０  出力処理部
２３１  再生用プレイリスト作成部
２３２  出力部
２４０  通信部
３００  移動端末
３１０  プレイリスト管理部
３１１  入力受付部
３１２  表示制御部
３１３  通信部
３２０  再生処理部
３２１  位置情報取得部
３２２  所要時間判定部
３２３  データ有無判定部
３２４  再生部    
【図１】
2020101631.tif 000003
【図２】
2020101631.tif 000004
【図３】
2020101631.tif 000005
【図４】
2020101631.tif 000006
【図５】
2020101631.tif 000007
【図６】
2020101631.tif 000008
【図７】
2020101631.tif 000009
【図８】
2020101631.tif 000010
【図９】
2020101631.tif 000011
【図１０】
2020101631.tif 000012
【図１１】
2020101631.tif 000013
【図１２】
2020101631.tif 000014
【図１３】
2020101631.tif 000015
【図１４】
2020101631.tif 000016
【図１５】
2020101631.tif 000017
【図１６】
2020101631.tif 000018
【図１７】
2020101631.tif 000019
【図１８】
2020101631.tif 000020
【図１９】
2020101631.tif 000021
【図２０】
2020101631.tif 000022
【図２１】
2020101631.tif 000023